(57)【要約】【課題】取付壁面に溝を必要とせず、取付穴を自由に変更でき、短尺に切断して使用する場合にロスの発生を減少させることができ、ネジのねじ込み深さを深くして取付強度を向上させ、ネジの頭も内蔵させて見えなくすることができる棚受け用支柱を提供すること。【解決手段】表裏面方向に貫通する複数個の係止穴２が長手方向に沿って等間隔に形成され、かつ、裏面側に向けて開口する嵌合溝３が長手方向に沿って形成された長尺の支柱本体４と、該支柱本体４を取付壁面５に取り付けるための表裏面方向に貫通する取付穴６を持ち、かつ、前記支柱本体４の裏面側の嵌合溝３内に長手方向に沿ってスライド自在に嵌合された取付片７とからなり、前記支柱本体４を取付壁面５に前記取付片７を介してネジ８で取り付ける（所謂、裏面付けする）ようになした。【選択図】図１
0003118499.tif 000002
【実用新案登録請求の範囲】
【請求項１】
表裏面方向に貫通する複数個の係止穴（２）が長手方向に沿って等間隔に形成され、かつ、裏面側に向けて開口する嵌合溝（３）が長手方向に沿って形成された長尺の支柱本体（４）と、
該支柱本体（４）を取付壁面（５）に取り付けるための表裏面方向に貫通した取付穴（６）を持ち、かつ、前記支柱本体（４）の裏面側の嵌合溝（３）内に長手方向に沿ってスライド自在に嵌合された取付片（７）とからなり、
前記支柱本体（４）を取付壁面（５）に前記取付片（７）を介して取り付けるようになしたことを特徴とする棚受け用支柱。
【請求項２】
前記取付片（７）は、前記支柱本体（４）の嵌合溝（３）内で前記支柱本体（４）と接触する部位にゴム、スポンジ等の弾性材料からなる制動部材（９）を備えていることを特徴とする請求項１に記載の棚受け用支柱。
【請求項３】
前記取付穴（６）は、取付片（７）に１個乃至複数個設けられ、複数個設けられた場合には、隣接する各々の取付穴（６）の間隔が前記支柱本体（４）の係止穴（２）の隣接間隔と同一とされていることを特徴とする請求項１又は２に記載の棚受け用支柱。
【請求項４】
前記支柱本体（４）の係止穴（２）は、棚板支持用のダボピン（１３）又は棚板受け具を挿脱可能に係止するダボ穴（１２）又は棚板受け具用係止穴とされていることを特徴とする請求項１〜３の何れかに記載の棚受け用支柱。
【考案の詳細な説明】
【技術分野】
【０００１】
本考案は、例えば、ホームセンターの建材売り場や金具販売店等で規格寸法品（例えば、１８２０ｍｍ、２４００ｍｍ等）として販売されている棚受け用支柱の改良に関するものである。
【背景技術】
【０００２】
従来、この種の棚受け用支柱１０として、図２（Ａ）（Ｂ）（Ｃ）に示すように、長尺薄板形状の支柱本体１１に多数個のダボ穴（係止穴）１２を等間隔で形成し、任意の高さのダボ穴１２にダボピン（棚板受け具）１３を挿通係止して、このダボピン１３に棚板（図示省略）を支持させるものが市販されている。
この場合、棚受け用支柱１０は、棚板の片側で２本ずつ両側で合計４本使用される場合が多いが、広幅の棚板の場合では、片側で３本乃至３本以上使用される場合もある。
ダボピン１３は、主体ピン部１３ａの基端側に該主体ピン部１３ａよりも小径の大径頭部１３ｂと、該大径頭部１３ｂと主体ピン部１３ａとの間に該大径頭部１３ｂよりも小径の小径首部１３ｃとを有する。
【０００３】
一方、ダボ穴１２は、ダボピン１３の大径頭部１３ｂを通過させる大径穴部１２ａと、この大径穴部１２ａから下側に連通形成されて前記小径首部１３ｃを通過させる小径穴部１２ｂとを有する。
上記ダボピン１３は、大径頭部１３ｂをダボ穴１２の大径穴部１２ａから挿入し、下方にスライドさせて小径首部１３ｃを小径穴部１２ｂに嵌合係止させることによって棚受け用支柱１０の支柱本体１１に取り付け支持され、外すときには、上方に持ち上げて引き抜くことにより行われる。
【０００４】
そのため、棚受け用支柱１０の支柱本体１１の裏側には空間が必要となるので、一対の脚部１４が該支柱本体部１１の裏側に突設されている。
上記脚部１４を埋め込むために、棚受け用支柱１０の取付壁面１５には、溝１６が形成されている。前記脚部１４の先端外面は、傾斜案内面１４ａとされ、該溝１６への挿入が容易化されており、また、前記脚部１４の途中外面には抜け止め用凹凸部１４ｂが形成され、前記溝１６からの抜け止め向上が図られている。
棚受け用支柱１０の支柱本体１１には、複数個の取付穴１７が適当な間隔、通常では、規格品寸法の長手方向両端付近と途中適当位置とに予め形成されている。棚受け用支柱１０は、この取付穴１７を利用して取付壁面１５にネジ１８で取り付けられている（例えば、特許文献１参照）。
【特許文献１】実開平４−１０４９５６号公報
【考案の開示】
【考案が解決しようとする課題】
【０００５】
従来の棚受け用支柱１０は、需要者等が、必要な長さのものを前記規格品のなかから適宜選択して必要本数を購入し、本棚、食器棚、ショウケース、クローゼット等の棚受け用支柱１０として使用されている。
しかし、従来の棚受け用支柱１０には、次のような問題点があった。
１．取付壁面１５に溝１６を形成する必要がある。
２．短尺に切断して使用する場合、取付穴１７の位置とネジ止め部の位置を考えて切断する必要があり、ロスが発生する。例えば、取付壁面１５がマンションのクローゼットの壁面の如く相手側の部材に裏桟があり、その裏桟の位置に合わせてネジ止めする必要がある場合では、必要長さ以上の長さ寸法をもつ規格品を購入して、該規格品の取付穴の位置を基準にして、これが裏桟と一致し、その位置から上下に必要な長さに切断して使用しなければならず、多くのロスが発生する。
【０００６】
３．ネジ１８の取付壁面１５へのねじ込み深さが溝１６の深さ分だけ浅くなり、棚受け用支柱１０の取付壁面１５への取付強度が低下する。
４．支柱本体１１を上（外側表面）からネジ１８で取付壁面１５にネジ１８で止めるためにネジ１８の頭が外側表面に突出し、棚板載置の障害となったり、美観を損なう。これを避けるには、支柱本体１１の取付穴１７をサラモミ加工して円錐皿状に座刳りし、皿ネジを使用して取り付ける必要があり、加工が複雑化する。
本考案は、従来の上記問題点に鑑みて提案されたものであって、その目的とするところは、取付壁面に溝を必要とせず、取付穴を自由に変更でき、短尺に切断して使用する場合にロスの発生を減少させることができ、ネジのねじ込み深さを深くして取付強度を向上させ、ネジの頭も内蔵させて見えなくすることができる棚受け用支柱を提供することにある。
【課題を解決するための手段】
【０００７】
前記目的を達成するために本考案は、表裏面方向に貫通する複数個の係止穴が長手方向に沿って等間隔に形成され、かつ、裏面側に向けて開口する嵌合溝が長手方向に沿って形成された長尺の支柱本体と、
該支柱本体を取付壁面に取り付けるための表裏面方向に貫通する取付穴を持ち、かつ、前記支柱本体の裏面側の嵌合溝内に長手方向に沿ってスライド自在に嵌合された取付片とからなり、
前記支柱本体を取付壁面に前記取付片を介して取り付ける（所謂、裏面付けする）ようになしたことを特徴としている。
【０００８】
また、前記取付片は、前記支柱本体の嵌合溝内で前記支柱本体と接触する部位にゴム、スポンジ等の弾性材料からなる制動部材を備えていることを特徴としている。
また、前記取付穴（６）は、取付片（７）に１個乃至複数個設けられ、複数個設けられた場合には、隣接する各々の取付穴（６）の間隔が前記支柱本体（４）の係止穴（２）の隣接間隔と同一とされていることを特徴としている。
また、前記支柱本体の係止穴は、棚板支持用のダボピン又は棚板受け具を挿脱可能に係止するダボ穴又は棚板受け具用係止穴とされている。
【考案の効果】
【０００９】
本考案によれば、取付壁面に溝を必要とせず、取付穴を自由に変更でき、短尺に切断して使用する場合にロスの発生を減少させることができ、ネジのねじ込み深さを深くして取付強度を向上させ、ネジの頭も内蔵させて見えなくすることができる棚受け用支柱を提供することができる。
【考案を実施するための最良の形態】
【００１０】
以下、本考案に係るの実施の形態を図面の記載に基づいて説明する。
本考案の棚受け用支柱１は、図１（Ａ）（Ｂ）（Ｃ）に示すように、表裏面方向に貫通する複数個の係止穴２が長手方向に沿って等間隔に形成され、かつ、裏面側に向けて開口する嵌合溝３が長手方向に沿って形成された長尺の支柱本体４と、該支柱本体４を取付壁面５に取り付けるための表裏面方向に貫通する取付穴６を持ち、かつ、前記支柱本体４の裏面側の嵌合溝３内に長手方向に沿ってスライド自在に嵌合された取付片７とからなり、前記支柱本体４を取付壁面５に前記取付片７を介してネジ８で取り付けるようになしたものである。
【００１１】
支柱本体４は、長手方向に直交する断面が略Ｃ型とされ、かつ、この断面略Ｃ型の開口部を裏面側として取付片７の嵌合溝３に利用し、平坦な表面側の中央部に係止穴２が前記の如く形成され、全体は、例えば、アルミ合金の押出型材で構成され、係止穴２がプレス加工で打ち抜き形成されている。なお、支柱本体４は、他の金属材料やプラスチック材料で構成してもよい。
取付片７は、表面側中央に凹溝７ａが、また、裏面側中央には凸条７ｂがそれぞれ長辺方向に沿って平行に形成され、しかも、短辺方向両端にはガイド翼部７ｃ、７ｃが形成されており、全体は、支柱本体４と同一材料で構成された押出型材を長手方向に適宜長さに切断して使用されている。上記取付片７は、ガイド翼部７ｃ、７ｃを支柱本体４の嵌合溝３にスライド自在に嵌合させている。上記凹溝７ａの幅は、後述するダボピン１３の大径頭部１３ｂの直径よりも大きくされている。上記凸条７ｂの幅は、支柱本体４の嵌合溝３の開口幅よりも若干小さくされている。また、上記凸条７ｂの幅は、凹溝７ａの幅よりも取付片７の板厚分の倍程度大きくされている。さらに、凹溝７ａの深さは、ダボピン１３の大径頭部１３ｂの軸方向長さよりも若干大きくされている。
【００１２】
また、上記取付片７の長辺方向長さは、支柱本体４の係止穴２の形成ピッチと略同一乃至大きく形成され、例えば、１．５倍〜２．５倍の長さとされる。そして、１．５倍の長さとした場合には、その長手方向中央部に取付穴６を１個形成し、２．５倍の長さとした場合には、２個の取付穴６を係止穴２の形成ピッチと同一間隔で形成する。
そして、取付穴６を１個設けた取付片７の場合は、該取付片７を支柱本体４に対して、嵌合溝３内で長手方向に自由にスライドさせて、任意の係止穴２の位置と該取付片７の取付穴６の位置とを一致させて取付壁面５にネジ８で取り付けることが可能となる。
【００１３】
また、取付穴６を２個設けた取付片７の場合は、該取付片７を支柱本体４に対して、嵌合溝３内で長手方向に自由にスライドさせて、任意の係止穴２の位置と該取付片７の取付穴６の一方の位置とを一致させれば、他方の取付穴６が上記係止穴２に隣接する別の係止穴２に一致させることができ、これによって、取付壁面５の２箇所に２本のネジ８で取り付けることが可能となる。
何れの場合においても、本考案の棚受け用支柱１は、取付壁面５に、予め溝を設けたり予備加工をしておく必要は全くなく、平坦面のままでネジ８により直ちに取り付けることができるとともに、取付片７の裏面を取付壁面５に近付けて取り付けることができるため、ネジ８を取付壁面５に従来よりも深くねじ込むことができる。換言すれば、ネジ８の長さを有効活用して取り付けることができるため、棚受け用支柱１の取付壁面５への取付強度を従来よりも向上させることができる。
【００１４】
なお、上記取付穴６は、１つの取付片７に２個以上複数個設けても良い。また、取付穴６は、取付片７の表面側において、予め、サラモミ加工して穴の周囲を円錐状に座刳り加工しておくのが好ましく、このようにしておけば、ネジ８に皿ネジを用いて、ネジ頭部が取付片７の表面から突出しないようにすることができる。取付穴６の大きさは、支柱本体４の係止穴２の大きさと同程度か若干小径とされ、取付片７の凹溝７ａの幅よりも小径とされている。
また、上記取付片７には、前記支柱本体４の嵌合溝３内で前記支柱本体４と接触する部位にゴム、スポンジ等の弾性材料からなる制動部材９が設けられている。制動部材９は、取付片７の表面側の凹溝７ａに表面を該凹溝７ａから若干突出させた状態で嵌め込まれ、裏面を接着剤で接着され、しかも、該凹溝７ａに形成された小穴７ｄに制動部材９の一部を嵌め込んで剥離離脱を防止させている。この場合、制動部材９の裏面には、小穴７ｄに嵌合する凸部９ａが形成されていることが好ましい。また、この制動部材９は、取付穴６から外れた位置または取付穴６を避けて設けられるものである。
【００１５】
このように、取付片７に制動部材９を設けておけば、支柱本体４に対して、取付片７を任意の位置に移動させた状態で停止させてその位置を自己保持させることができ、支柱本体４を取付壁面５に取り付ける場合に便利となる。
また、前記支柱本体４の係止穴２は、棚板支持用のダボピン１３を挿脱可能に係止するダボ穴１２とした場合を示している。この場合、ダボピン１３は、主体ピン部１３ａの基端側に該主体ピン部１３ａよりも小径の大径頭部１３ｂと、該大径頭部１３ｂと主体ピン部１３ａとの間に該大径頭部１３ｂよりも小径の小径首部１３ｃとを有する。小径首部１３ｃの軸方向長さは、支柱本体４の板厚よりも若干大きくされている。
【００１６】
一方、ダボ穴１２は、ダボピン１３の大径頭部１３ｂを通過させる大径穴部１２ａと、この大径穴部１２ａから下側に連通形成されて前記小径首部１３ｃを通過させる小径穴部１２ｂとを有する。
上記ダボピン１３は、大径頭部１３ｂをダボ穴１２の大径穴部１２ａから挿入し、下方にスライドさせて小径首部１３ｃを小径穴部１２ｂに嵌合係止させることによって支柱本体４に取り付け支持され、外すときには、上方に持ち上げて引き抜くことにより行われる。
【００１７】
本考案の棚受け用支柱１は、棚板（図示省略）の片側で２本ずつ両側で合計４本使用される場合が多いが、広幅の棚板の場合では、片側で３本乃至３本以上使用される場合もある。また、本考案の棚受け用支柱１は、従来と同様な販売形態とされ、製品長さも複数サイズの規格品とされる。その際、１本の棚受け用支柱１に取付片７を少なくとも２個セットとして販売すればよいが、２個以上としてもよく、また、取付片７だけを単品として別売りするようにしてもよい。
本考案の棚受け用支柱１は、以上の実施形態からなるが、本考案は、これらの実施形態にのみ制約されるものではなく、実用新案登録請求の範囲に記載した事項の範囲内で自由に変更して実施することができる。例えば、支柱本体４の長手方向に等間隔に形成されているダボ穴１２は、所定個数（例えば１０個）毎に八角形等の異なる形状としておいて、長尺の支柱本体４を短尺に切断する場合の単位長さの目安に利用するようにしてもよい。また、支柱本体４の係止穴２の形状は、図示したダボピン１３用のダボ穴１２に限らず、他の棚受け具の係止部の形状に対応した他の形状の穴としてもよい。さらに、本考案の棚受け用支柱は、本棚、食器棚、ショーケース、マンションのクローゼット、その他の用途に適用可能である。
【図面の簡単な説明】
【００１８】
【図１】（Ａ）は本考案に係る棚受け用支柱の取付状態の斜視図、（Ｂ）はその取付片単体の分解斜視図、（Ｃ）はその取付状態の横断平面図である。
【図２】（Ａ）は従来の棚受け用支柱の取付状態の斜視図、（Ｂ）はそのダボピン装着部での横断平面図、（Ｃ）はそのネジ取付部での横断平面図である。
【符号の説明】
【００１９】
１    棚受け用支柱
２    係止穴
３    嵌合溝
４    支柱本体
５    取付壁面
６    取付穴
７    取付片
８    ネジ
９    制動部材
１２    ダボ穴
１３    ダボピン
【図１】
0003118499.tif 000003
【図２】
0003118499.tif 000004